(57)【要約】【課題】  ファクシミリデータを送信する際のユーザの手間を軽減する。【解決手段】  ファクシミリ装置１００は、画像データ取得部１０４と、画像データに所定の形式の２次元コード情報が含まれる場合に、当該２次元コード情報をデコードして文字情報に変換する２次元コード情報デコード部１０８と、その文字情報にファクシミリデータの送信先アドレスが含まれるか否かを解析し、文字情報に送信先アドレスが含まれる場合に、当該送信先アドレスにファクシミリデータを送信するか否かを判断する処理判断部１１０、処理判断部１１０の判断結果に従い、該送信先アドレスに所定のファクシミリデータを送信する通信制御部１１８と、を含む。【選択図】        図１
2006115021.tif 000002
【特許請求の範囲】
【請求項１】
ファクシミリ装置であって、
画像データを取得する画像データ取得手段と、
前記画像データ取得手段が取得した画像データに所定の形式の２次元コード情報が含まれるか否かを検出する検出手段と、
前記検出手段が、前記画像データに前記２次元コード情報が含まれることを検出した場合に、当該２次元コード情報をデコードして文字情報に変換するデコード手段と、
前記デコード手段が変換した前記文字情報にファクシミリデータの送信先アドレスが含まれるか否かを解析し、前記文字情報に送信先アドレスが含まれる場合に、当該送信先アドレスにファクシミリデータを送信するか否かを判断する判断手段と、
前記判断手段が、前記送信先アドレスにファクシミリデータを送信すると判断した場合に、当該送信先アドレスに所定のファクシミリデータを送信する送信手段と、
を含むことを特徴とするファクシミリ装置。
【請求項２】
請求項１に記載のファクシミリ装置において、
原稿を読み取り、画像データを生成する原稿読取手段をさらに含み、
前記画像データ取得手段は、前記原稿読取手段が生成した画像データを取得することを特徴とするファクシミリ装置。
【請求項３】
請求項１または２に記載のファクシミリ装置において、
前記デコード手段が変換した前記文字情報に送信先アドレスが含まれる場合に、当該送信先アドレスにファクシミリデータを送信するか否かの判断基準を記憶する記憶手段をさらに含み、
前記判断手段は、前記記憶手段を参照して、前記送信先アドレスにファクシミリデータを送信するか否かを判断することを特徴とするファクシミリ装置。
【請求項４】
請求項１乃至３いずれかに記載のファクシミリ装置において、
前記送信手段は、前記画像データ取得手段が、前記送信先アドレスを含む２次元コード情報が含まれる画像データとともに取得したデータを前記ファクシミリデータとして前記送信先アドレスに送信することを特徴とするファクシミリ装置。
【発明の詳細な説明】
【技術分野】
【０００１】
この発明は、ファクシミリ装置に関し、とくに２次元コード情報を取り扱うファクシミリ装置に関する。
【背景技術】
【０００２】
近年、水平方向および垂直方向の２次元方向に情報を持つ２次元コード情報が普及してきている。２次元コードは、１次元コードに比べて大容量の情報を扱うことができるため、コード自体に種々の情報を持たせることが可能である。
【０００３】
特許文献１には、プリンタ装置が端末装置から依頼された印刷データを印刷する際に、用紙上端部と用紙下端部にそれぞれ印刷データを識別する情報と、印刷状態を識別するための情報が含まれたバーコードを印刷データとともに印刷し、用紙排出口にて前記バーコードを読み取ることにより印刷の状態を識別し、印刷履歴として管理するように構成されたシステムが開示されている。ここで、用紙排出口にバーコードリーダが設けられており、用紙排出口にてバーコードを読み取ることにより、印刷の状態を識別して、用紙排出が完了したことをユーザに通知できるようになっている。
【特許文献１】特開２００４−９０２３５号公報
【発明の開示】
【発明が解決しようとする課題】
【０００４】
ところで、ファクシミリ装置は、一般的にファクシミリ送信機能、原稿読取機能、印刷機能等を有する。また、近年、インターネット等のネットワークに接続され、電子メール形式でファクシミリデータを送受信可能なインターネットファクシミリ装置も普及してきている。このようなファクシミリ装置においては、原稿読取機能を用いて紙媒体等に印刷された２次元コード情報を読み取ることも可能である。そのため、このようなファクシミリ装置においては、特別な装置を付加することなく、２次元コード情報を取り扱うことが容易である。
【０００５】
本発明はこうした点に鑑みてなされたもので、その目的は、ファクシミリデータを送信する際のユーザの手間を軽減する技術の提供にある。
【課題を解決するための手段】
【０００６】
本発明によれば、ファクシミリ装置であって、画像データを取得する画像データ取得手段と、前記画像データ取得手段が取得した画像データに所定の形式の２次元コード情報が含まれるか否かを検出する検出手段と、前記検出手段が、前記画像データに前記２次元コード情報が含まれることを検出した場合に、当該２次元コード情報をデコードして文字情報に変換するデコード手段と、前記デコード手段が変換した前記文字情報にファクシミリデータの送信先アドレスが含まれるか否かを解析し、前記文字情報に送信先アドレスが含まれる場合に、当該送信先アドレスにファクシミリデータを送信するか否かを判断する判断手段と、前記判断手段が、前記送信先アドレスにファクシミリデータを送信すると判断した場合に、当該送信先アドレスに所定のファクシミリデータを送信する送信手段と、を含むことを特徴とするファクシミリ装置が提供される。
【０００７】
所定の形式の２次元コード情報は、たとえばＱＲコードとすることができる。
【０００８】
ここで、本発明のファクシミリ装置は、原稿を読み取り、画像データを生成する原稿読取手段をさらに含むことができ、前記画像データ取得手段は、前記原稿読取手段が生成した画像データを取得することができる。また、本発明のファクシミリ装置は、ネットワークを介して他の端末と接続されてよく、画像データ取得手段は、ネットワークを介して接続された他の端末から送信されたイメージデータを取得することもできる。
【０００９】
画像データ取得手段は、ファクシミリデータとして送信先アドレスに送信する画像データを取得することもできる。画像データ取得手段は、２次元コード情報が含まれる画像データと、ファクシミリデータとして送信する画像データとを同時に取得することもできる。たとえば、１ページの画像データに２次元コード情報とファクシミリデータとして送信する情報とが含まれていてもよい。また、複数ページの画像データの１ページ目の画像データに２次元コード情報が含まれ、その他のページにファクシミリデータとして送信する情報が含まれるようにしてもよい。
【００１０】
本発明のファクシミリ装置によれば、画像データに２次元コード情報が含まれ、その２次元コード情報がファクシミリデータの送信先アドレスを含む場合に、その送信先アドレスに基づいてファクシミリデータを送信することができるので、ファクシミリデータを送信する際のユーザの手間を軽減することができる。
【００１１】
本発明のファクシミリ装置は、前記デコード手段が変換した前記文字情報に送信先アドレスが含まれる場合に、当該送信先アドレスにファクシミリデータを送信するか否かの判断基準を記憶する記憶手段をさらに含むことができ、前記判断手段は、前記記憶手段を参照して、前記送信先アドレスにファクシミリデータを送信するか否かを判断することができる。
【００１２】
ここで、たとえば、記憶手段は、ファクシミリデータを自動的に送信すべき送信先アドレス等を記憶することができる。このようにすれば、デコード手段が変換した文字情報に送信先アドレスが含まれる場合に、記憶手段に記憶された内容に従い、自動的にファクシミリデータを送信することができる。これにより、ユーザが２次元コード情報が印刷された原稿を読み取らせたり、２次元コード情報を含むイメージデータを複合機に送信することにより、ファクシミリデータの送信を自動的に行うことができる。
【００１３】
本発明のファクシミリ装置において、前記ファクシミリデータ送信手段は、前記画像データ取得手段が、前記送信先アドレスを含む２次元コード情報が含まれる画像データとともに取得したデータを前記ファクシミリデータとして前記送信先アドレスに送信することができる。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、ファクシミリデータを送信する際のユーザの手間を軽減することができる。
【発明を実施するための最良の形態】
【００１６】
本実施の形態におけるファクシミリ装置は、所定の形式の２次元コード情報を文字情報にデコードする機能を有する。ここで、所定の形式の２次元コード情報は、一般的に２次元コード情報として知られている種々のものを用いることができるが、たとえばＱＲコードを用いることができる。
【００１７】
図１は、本実施の形態におけるファクシミリ装置１００の構成を示すブロック図である。
ファクシミリ装置１００は、原稿読取部１０２、画像データ取得部１０４、検出部１０６、２次元コード情報デコード部１０８、処理判断部１１０、指示受付部１１２、表示部１１４、送信データ作成部１１６、通信制御部１１８、および設定情報記憶部１２０を有する。
【００１８】
ファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明する各図は、ハードウエア単位の構成ではなく、機能単位のブロックを示している。なお、図１において、本発明の本質に関わらない部分の構成については省略してある。
【００１９】
ファクシミリ装置１００は、ファクシミリ、プリンタ、コピー、スキャナ機能等を統合したネットワーク複合機とすることができる。ここで、ネットワーク複合機は、たとえばネットワークファクシミリ装置やＭＦＰ（Multi Functional Peripheral）等である。
【００２０】
指示受付部１１２は、ユーザからの指示を受け付ける。表示部１１４は、各種情報を表示する。
【００２１】
通信制御部１１８は、ネットワーク１５０を介して他のファクシミリ装置や端末とデータの送受信を行う。ネットワーク１５０は、たとえばＰＳＴＮ（公衆交換電話網）、インターネット等のパブリックネットワーク、またはＬＡＮ等のプライベートネットワークである。ここでは、これらをまとめてネットワーク１５０として示す。
【００２２】
原稿読取部１０２は、原稿を読み取り、画像データを生成する。原稿読取部１０２は、スキャナ機能を有する。画像データ取得部１０４は、原稿読取部１０２が生成した画像データや、通信制御部１１８を介して他の端末から送信された画像データを取得する。検出部１０６は、画像データ取得部１０４が取得した画像データに所定の形式の２次元コード情報が含まれるか否かを検出し、画像データに所定の形式の２次元コード情報が含まれる場合は、その２次元コード情報を抽出する。
【００２３】
２次元コード情報デコード部１０８は、検出部１０６が抽出した２次元コード情報をデコードして文字情報に変換する。
【００２４】
処理判断部１１０は、２次元コード情報デコード部１０８がデコードした文字情報に、ファクシミリデータの送信先アドレスが含まれるか否かを判断する。処理判断部１１０は、２次元コード情報デコード部１０８がデコードした文字情報に送信先アドレスが含まれる場合、その送信先アドレスにファクシミリデータを送信するか否かを判断する。処理判断部１１０は、たとえば指示受付部１１２や通信制御部１１８を介して接続された他の端末からのユーザからの指示に基づき、送信先アドレスにファクシミリデータを送信するか否かを判断することができる。たとえば、画像データ取得部１０４が取得した画像データに２次元コード情報で表された送信先アドレスが含まれる場合、処理判断部１１０は、表示部１１４や他の端末のモニタ等にその送信先アドレスとともに「この送信先にファクシミリデータを送信しますか？」等のメッセージを表示させ、ユーザに指示を入力させることができる。
【００２５】
設定情報記憶部１２０は、画像データ取得部１０４が取得した画像データに２次元コード情報で表された送信先アドレスが含まれる場合に自動的にファクシミリデータを送信すべき送信先アドレスを記憶することができる。処理判断部１１０は、設定情報記憶部１２０を参照して送信先アドレスにファクシミリデータを送信するか否かを判断することもできる。
【００２６】
また、処理判断部１１０は、２次元コード情報デコード部１０８が変換した文字情報に含まれる送信先アドレスにファクシミリデータを送信すると判断した場合、送信する画像データが得られているか否かを判断し、画像データが得られていない場合には、たとえば表示部１１４等に「送信する原稿をセットしてください」や「送信する原稿を選択してください」等のメッセージを表示させ、ユーザに送信する画像データの入力要請を行うことができる。画像データ取得部１０４は、送信する画像データを取得する。なお、画像データ取得部１０４は、処理判断部１１０の指示に基づき、ユーザへの送信する画像データの入力要請に対して画像データが入力された場合には、取得した画像データを送信データ作成部１１６に送出する。
【００２７】
送信データ作成部１１６は、送信するファクシミリデータを作成する。ここで、送信先アドレスは、電子メールアドレスやドメイン名、ＰＳＴＮ経由のファクシミリ番号等とすることができる。送信先アドレスが電子メールアドレスやドメイン名の場合、送信データ作成部１１６は、送信先アドレスに対し、送信する画像データをＴｉｆｆやＰＤＦ等の所定のファイル形式に変換したデータを添付した電子メールを作成する。この場合、処理判断部１１０は、電子メールの本文としてコメント等を入力するか否かをユーザに問い合わせ、指示受付部１１２等にコメント等の入力を受け付けさせるようにすることができる。また、設定情報記憶部１２０は、設定された送信先アドレスとコメント等とを対応づけて記憶することもでき、送信データ作成部１１６は、設定情報記憶部１２０から対応するコメント等を読み出して、電子メールの本文情報とすることができる。
【００２８】
通信制御部１１８は、送信データ作成部１１６が作成したファクシミリデータを送信先アドレスに送信する。
【００２９】
図２は、本実施の形態におけるファクシミリ装置１００の処理手順を示すフローチャートである。
【００３０】
画像データ取得部１０４が画像データを取得すると（Ｓ１００のＹＥＳ）、処理判断部１１０は、送信モードであるか否かを判断する（Ｓ１０１）。ここで、送信モードとは、送信する画像データの入力要請に対して画像データが入力された場合のことである。送信モードでない場合（Ｓ１０１のＮＯ）、検出部１０６は、画像データ取得部１０４が取得した画像データに所定の形式の２次元コード情報が含まれるか否かを判断する（Ｓ１０２）。所定の形式の２次元コード情報が含まれる場合（Ｓ１０２のＹＥＳ）、検出部１０６はその２次元コード情報を抽出する。２次元コード情報デコード部１０８は、検出部１０６が抽出した２次元コード情報をデコードして文字情報に変換する。処理判断部１１０は、その文字情報に送信先アドレスが含まれるか否かを判断する（Ｓ１０４）。送信先アドレスが含まれる場合（Ｓ１０４のＹＥＳ）、処理判断部１１０は、その送信先にファクシミリデータを送信するか否かを判断する（Ｓ１０６）。送信先アドレスにファクシミリデータを送信するか否かは、ユーザの指示に基づき判断することができる。また、処理判断部１１０は、設定情報記憶部１２０を参照して、送信先アドレスにファクシミリデータを送信するか否かを判断することもできる。
【００３１】
ファクシミリデータを送信する場合（Ｓ１０６のＹＥＳ）、処理判断部１１０は、ステップＳ１００で取得した画像データに送信用の画像データが含まれるか否かを判断する（Ｓ１０８）。たとえば、ステップＳ１００において、複数ページの画像データが取得された場合、最初のページの画像データについてのみステップＳ１０２〜ステップＳ１０６の処理を行うことができる。最初のページ以外の画像データは、送信用の画像データとして扱うことができる。
【００３２】
送信用画像データが含まれる場合（Ｓ１０８のＹＥＳ）、処理判断部１１０は、ステップＳ１０４で検出された送信先アドレスに基づき、ファクシミリデータを電子メールで送信するか否かを判断する（Ｓ１１２）。ファクシミリデータを電子メールで送信する場合（Ｓ１１２のＹＥＳ）、コメント等を電子メールの本文情報として追加するか否かを判断する（Ｓ１１４）。ここで、本文情報を追加するか否かは、ユーザに問い合わせて指示を受け付けることにより判断することができる。また、処理判断部１１０は、設定情報記憶部１２０を参照して、本文情報を追加するか否かを判断することもできる。処理判断部１１０が本文情報を追加すると判断した場合（Ｓ１１４のＹＥＳ）、送信データ作成部１１６は、ユーザからの入力、または設定情報記憶部１２０に記憶された情報に基づき、本文情報を取得する（Ｓ１１６）。
【００３３】
つづいて、送信データ作成部１１６は、送信用画像データをＴｉｆｆやＰＤＦ等の所定のファイル形式に変換したデータを添付した電子メールを作成する（Ｓ１１８）。ステップＳ１１４で処理判断部１１０が本文情報を追加しないと判断した場合（Ｓ１１４のＮＯ）、送信データ作成部１１６は、本文情報を追加することなく電子メールを作成する（Ｓ１１８）。その後、通信制御部１１８は、送信データ作成部１１６が作成した電子メールを送信先アドレスに送信する（Ｓ１２０）。以上により処理を終了する。
【００３４】
ステップＳ１１２において、ファクシミリデータを電子メールで送信しない場合（Ｓ１１２のＮＯ）、送信データ作成部１１６は、ＰＳＴＮ経由で送信するファクシミリデータを生成する（Ｓ１２１）。通信制御部１１８は、そのファクシミリデータを送信先アドレスに送信する処理を行う（Ｓ１２２）。以上により処理を終了する。
【００３５】
ステップＳ１０８において、送信用画像データが含まれない場合（Ｓ１０８のＮＯ）、処理判断部１１０は、送信モード設定を行うとともに（Ｓ１２４）、画像データ入力要請を行う（Ｓ１２６）。具体的には、処理判断部１１０は、表示部１１４に「送信する画像データを入力してください」等のメッセージを表示させる。この場合に、画像データ取得部１０４が画像データを取得すると、ステップＳ１０１において、送信モードであると判定され（Ｓ１０１のＹＥＳ）、ステップＳ１０８に進み、送信用画像データが取得されたと判断され（Ｓ１０８のＹＥＳ）、ステップ１１２以下の処理が行われる。
【００３６】
ステップＳ１０２において、画像データ取得部１０４が取得した画像データに２次元コード情報が含まれない場合（Ｓ１０２のＮＯ）、ステップＳ１０４において、検出部１０６が抽出した２次元コード情報に送信先アドレスが含まれない場合（Ｓ１０４のＮＯ）、およびステップＳ１０６において、送信先アドレスにファクシミリデータを送信しないと判断された場合（Ｓ１０６のＮＯ）、処理判断部１１０は、その他の処理を行う。その他の処理とは、たとえば、通常の原稿複写処理、イメージデータ印刷処理、原稿読取処理、ファクシミリ送信処理等である。
【００３７】
図３は、本実施の形態におけるファクシミリ装置１００により、商品の注文を行う場合を例として模式的に示す図である。
【００３８】
ここでは、ある商品の広告チラシ１６０にその商品を注文する注文書１６４を送信するための送信先のアドレスを表した２次元コード情報１６２が含まれる例を示す。２次元コード情報１６２には、たとえば「ｍａｉｌｔｏ：×××＠×××．ａｂ．ｃｄ」という送信先アドレスが含まれる。ユーザは、広告チラシ１６０と注文書１６４とを重ねて原稿読取部１０２に読み取らせる。この後、ファクシミリ装置１００は、図２に示した手順に従い、２次元コード情報１６２に含まれるアドレスに注文書１６４を送信する処理を行う。
【００３９】
これにより、ユーザは自分の興味のある商品の広告チラシと必要事項を記入した注文書をファクシミリ装置１００の原稿読取部１０２に読み取らせるだけで、商品の注文を行うことができる。
【００４０】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４１】
処理判断部１１０は、送信先アドレスにファクシミリデータを送信するか否かを判断する際に、２次元コード情報が含まれる画像データも他の画像データとともに送信するか否かを判断することもできる。この判断も、ユーザからの指示や設定情報記憶部１２０の設定情報に基づき、行うことができる。
【００４２】
以上の実施の形態においては、ファクシミリ装置１００が、インターネット等のパブリックネットワークおよびＰＳＴＮのいずれをも利用してファクシミリデータの送信が行える形態を示したが、ファクシミリ装置は、これらのうちいずれか一方のみを利用可能なものであってもよい。
【図面の簡単な説明】
【００４３】
【図１】実施の形態におけるファクシミリ装置の構成を示すブロック図である。
【図２】実施の形態におけるファクシミリ装置の処理手順の一例を示すフローチャートである。
【図３】実施の形態におけるファクシミリ装置により、商品の注文を行う場合を例として模式的に示す図である。
【符号の説明】
【００４４】
１００  ファクシミリ装置
１０２  原稿読取部
１０４  画像データ取得部
１０６  検出部
１０８  ２次元コード情報デコード部
１１０  処理判断部
１１２  指示受付部
１１４  表示部
１１６  送信データ作成部
１１８  通信制御部
１２０  設定情報記憶部
１５０  ネットワーク
【図１】
2006115021.tif 000003
【図２】
2006115021.tif 000004
【図３】
2006115021.tif 000005